(57)【要約】【課題】紙の書類を用いることなく印章を紙に押印した印影の画像を取得する。【解決手段】印影画像取得装置は、印章３０を押印する押印用紙１４と、印章３０が押印用紙１４に押印された際の圧力を検知する圧力検知部１５と、押印用紙１４を圧力検知部１５の上方（近傍）を一方向に移動させる第１の巻取部１３ａおよび第２の巻取部１３ｂと、押印用紙１４に形成された印章３０の印影を撮像する読取部１２と、制御部１１とを備える。制御部１１は、圧力検知部１５からの圧力を検知した通知に応じて第１の巻取部１３ａおよび第２の巻取部１３ｂを駆動させ、押印用紙１４に形成された印影を読取部１２で撮像可能な位置に移動させ、読取部１２に印影の撮像を指示し、印影を撮像した画像である印影画像を取得する。【選択図】図１
2018036686.tif 000002
【特許請求の範囲】
【請求項１】
印章を押印する押印用紙と、
前記印章が前記押印用紙に押印された際の圧力を検知する圧力検知部と、
前記押印用紙を前記圧力検知部の近傍を一方向に移動させる第１の巻取部および第２の巻取部と、
前記押印用紙に形成された前記印章の印影を撮像する読取部と、
前記圧力検知部からの圧力を検知した通知に応じて前記第１の巻取部および前記第２の巻取部を駆動させ、前記押印用紙に形成された前記印影を前記読取部で撮像可能な位置に移動させ、前記読取部に前記印影の撮像を指示し、前記印影を撮像した画像である印影画像を取得する制御部と、
を備える印影画像取得装置。
【請求項２】
前記制御部は、
情報処理装置から印影画像を取得する指示である印影画像取得要求を受信し、
前記印影画像を前記情報処理装置に送信する、
請求項１記載の印影画像取得装置。
【請求項３】
前記押印用紙は、
前記第１の巻取部にロール状に備えられ、前記押印用紙の端部が前記第２の巻取部に巻き取られる、
請求項１記載の印影画像取得装置。
【請求項４】
前記印章を押印するための開口部を前記圧力検知部および前記押印用紙の近傍に備える、
請求項１記載の印影画像取得装置。
【請求項５】
印影画像取得装置と情報処理装置とを含む印影画像処理システムであって、
前記印影画像取得装置は、
印章を押印する押印用紙と、
前記印章が前記押印用紙に押印された際の圧力を検知する圧力検知部と、
前記押印用紙を前記圧力検知部の近傍を一方向に移動させる第１の巻取部および第２の巻取部と、
前記押印用紙に形成された前記印章の印影を撮像する読取部と、
前記情報処理装置から印影画像を取得する指示である印影画像取得要求を受信し、前記圧力検知部からの圧力を検知した通知に応じて前記第１の巻取部および前記第２の巻取部を駆動させ、前記押印用紙に形成された前記印影を前記読取部で撮像可能な位置に移動させ、前記読取部に前記印影の撮像を指示し、前記印影を撮像した印影画像を取得し、前記印影画像を前記情報処理装置に送信する制御部とを備え、
前記情報処理装置は、
前記印影画像取得要求を前記印影画像取得装置に送信し、前記印影画像取得装置から前記印影画像を受信する制御部を備える、
印影画像処理システム。
【請求項６】
前記情報処理装置の前記制御部は、
利用者から入力された情報である入力情報を受け付ける入力受付部を備え、
前記印影画像取得装置から受信した前記印影画像と前記入力情報とを他の情報処理装置へ送信する、
請求項５記載の印影画像処理システム。
【発明の詳細な説明】
【技術分野】
【０００１】
本発明は、印影画像取得装置および印影画像処理システムに関する。
【背景技術】
【０００２】
公共機関や金融機関などの手続において、手続者の本人確認が求められる場合がある。たとえば、金融機関は、予め登録されている登録印の印影と、手続者が手続時に押印した印章（被照合印）の印影とを認証し、本人確認を行う。登録印の印影と被照合印の印影が相違する場合、本人確認ができないため金融機関は手続を行わない。このような印影の認証を行うため、金融機関においては、入金伝票や払戻伝票等の書類に顧客が押印した印影をスキャナやカメラで撮像して印影画像を取得し、登録印の印影画像と顧客が押印した印影画像とを比較し、印影の認証（照合）をする場合がある。
【０００３】
なお、登録されている印章の印影と顧客が帳票に押捺した印章の印影とをより高い精度で照合する印影照合システムに関する技術が知られている。
【先行技術文献】
【特許文献】
【０００４】
【特許文献１】特開２０１４−２３５６６５号公報
【発明の概要】
【発明が解決しようとする課題】
【０００５】
近年、書類のペーパーレス化に伴い紙の書類が電子フォーマットに置き換えられている。書類作成者が、パソコンやタブレット等を用いて電子フォーマットにデータを入力することで手書き書類の電子化が進められている。
【０００６】
しかしながら、紙の書類を用いる手続時において、印章の印影を取得し登録印の印影と認証する処理については、電子化（ペーパーレス化）が困難である。
その理由は、既存の認証システムで用いられる登録印の印影画像が、紙に押印した印影をカメラ等で撮像した画像であることに起因する。既存の認証システムで用いられる登録印の印影画像と高い精度で認証処理を実行するためには、金融機関等において顧客が手続時に用いる印章の印影画像も、紙に押印した印影をカメラで撮像して印影画像を生成する必要がある。仮に、印影画像を取得する際に紙を用いることなく印章の印面を直接カメラで撮像した映像から印影画像を生成したとしても、既存の認証システムで用いられる登録印の印影画像との認証処理において精度が低いものとなる。
【０００７】
印影画像の認証処理について精度が低くなる一因として、印章の経年劣化や印章を形成する材料等の特性があげられる。印章は、経年劣化等により刻印のある印面に摩耗部が生じるため、印章の印面に朱肉を付けて紙に押印する場合、朱肉が紙と摩耗部との間に生じる隙間を埋めて印影が形成される。また、印章は、動物の牙、天然石、天然樹木、樹脂、金属等の様々な材料で製造されており、材料に応じて朱肉が印面に付着する状態（印面に対する朱肉ののり具合）が異なる。このため、同一の印章であっても、印章の印面に朱肉を付着させて紙に押印した印影をカメラで撮像して生成した印影画像と、紙および朱肉を用いることなく印章の印面を直接カメラで撮像して生成した印影画像とは同一の印影画像になるとは限らない。既存の認証システムにおいて認証処理の精度が低くなり、同一の印章であるにも関わらず、紙に押印した印影の印影画像と印面を直接カメラで撮影した印影画像とが同一の印章として認証できない事態も生じうる。
【０００８】
このため、紙の書類を用いることなく印章を紙に押印した印影の画像を取得するための技術が望まれている。
一側面では、本発明は、紙の書類を用いることなく印章を紙に押印した印影の画像を取得できる印影画像取得装置および印影画像処理システムを提供することを目的とする。
【課題を解決するための手段】
【０００９】
上記目的を達成するために、以下に示すような印影画像取得装置を提供する。印影画像取得装置は、印章を押印する押印用紙と、印章が押印用紙に押印された際の圧力を検知する圧力検知部と、押印用紙を圧力検知部の近傍を一方向に移動させる第１の巻取部および第２の巻取部と、押印用紙に形成された印章の印影を撮像する読取部と、制御部とを備える。制御部は、圧力検知部からの圧力を検知した通知に応じて第１の巻取部および第２の巻取部を駆動させ、押印用紙に形成された印影を読取部で撮像可能な位置に移動させ、読取部に印影の撮像を指示し、印影を撮像した画像である印影画像を取得する。
【発明の効果】
【００１０】
一態様によれば、紙の書類を用いることなく印章を紙に押印した印影の画像を取得できる印影画像取得装置および印影画像処理システムを提供できる。
【図面の簡単な説明】
【００１１】
【図１】第１の実施形態の印影画像処理システムの一例を示す図である。
【図２】第２の実施形態の印影画像処理システムの一例を示す図である。
【図３】第２の実施形態の営業店端末のハードウェア構成の一例を示す図である。
【図４】第２の実施形態のタブレットのハードウェア構成の一例を示す図である。
【図５】第２の実施形態の印影スキャナ（パターン１）のハードウェア構成の一例を示す図である。
【図６】第２の実施形態の印影スキャナ（パターン２）のハードウェア構成の一例を示す図である。
【図７】第２の実施形態の印影スキャナの制御部のハードウェア構成の一例を示す図である。
【図８】第２の実施形態の印影画像登録情報の一例を示す図である。
【図９】第２の実施形態のシーケンスを示す図である。
【図１０】第２の実施形態のタブレット処理のフローチャートを示す図である。
【図１１】第２の実施形態の印影画像取得処理のフローチャートを示す図である。
【図１２】第２の実施形態の営業店端末処理のフローチャートを示す図である。
【発明を実施するための形態】
【００１２】
以下、図面を参照して実施の形態を詳細に説明する。
［第１の実施形態］
まず、第１の実施形態の印影画像処理システムについて図１を用いて説明する。図１は、第１の実施形態の印影画像処理システムの一例を示す図である。
【００１３】
印影画像処理システム４０は、印影画像取得装置１０と、情報処理装置２０とを含む。印影画像取得装置１０は、印章３０を押印用紙１４に押印した際に押印用紙１４に形成される印影を撮像し、印影の画像（以下、印影画像と記載する）を取得する装置である。印影画像取得装置１０は、圧力検知部１５と、読取部１２と、第１の巻取部１３ａと、第２の巻取部１３ｂと、押印用紙１４と、制御部１１とを備える。また、印影画像取得装置１０は、圧力検知部１５および押印用紙１４の上方（近傍）に印章３０を押印用紙１４に押印するための開口部１６を備える。なお、開口部１６を設ける位置は一例であり、その他の位置であってもよい。
【００１４】
圧力検知部１５は、印章３０を押印する押印用紙１４の下方に設けられ、印章３０が押印用紙１４に押印された際の圧力を検知する。圧力検知部１５は、圧力センサや圧力測定器等である。なお、圧力検知部１５を設ける位置は一例であり、その他の位置であってもよい。
【００１５】
読取部１２は、押印用紙１４の上方（近傍）に設けられ、押印用紙１４に形成された印章３０の印影を撮像する。読取部１２は、画像を取得するカメラやスキャナ等である。なお、読取部１２を設置する位置は、印影を撮像できる位置であればよく、押印用紙１４の上方（近傍）に限られず、その他の位置であってもよい。
【００１６】
第１の巻取部１３ａおよび第２の巻取部１３ｂは、押印用紙１４を巻き取る機構であり、たとえばローラである。第１の巻取部１３ａおよび第２の巻取部１３ｂは、圧力検知部１５の上方（近傍）を一方向に押印用紙１４を移動させる。なお、第１の巻取部１３ａおよび第２の巻取部１３ｂが押印用紙１４を移動させる方向は、押印用紙１４の設置位置に応じて変更可能である。
【００１７】
押印用紙１４は、ロール状の紙である。押印用紙１４は、第１の巻取部１３ａに設置され、押印用紙１４の端部は圧力検知部１５の上方（近傍）を経由して第２の巻取部１３ｂに固定される。押印用紙１４は、第１の巻取部１３ａおよび第２の巻取部１３ｂが矢印の方向に回転することで第２の巻取部１３ｂに巻き取られ、押印用紙１４に形成された印章３０の印影が読取部１２に撮像可能な位置へ移動する。押印用紙１４は、開口部１６から露出し、印章３０によって押印される。
【００１８】
制御部１１は、印影画像取得装置１０を制御する。制御部１１は、圧力検知部１５からの圧力を検知した通知に応じて第１の巻取部１３ａおよび第２の巻取部１３ｂを駆動させる。制御部１１は、読取部１２に印影の撮像を指示し、印影を撮像した画像である印影画像を取得する。なお、制御部１１が実行する処理は、プログラムとして提供できる。
【００１９】
情報処理装置２０は、金融機関の顧客や係員等の利用者が利用するコンピュータである。情報処理装置２０は、たとえば、タブレットや、携帯端末や、ノートパソコン等の電子機器を含む。情報処理装置２０は、制御部２１と、入力受付部２２とを有する。
【００２０】
制御部２１は、入力受付部２２から入力された情報である入力情報を利用者から受け付け、印影画像を取得する指示である印影画像取得要求を印影画像取得装置１０に送信する。制御部２１は、印影画像取得装置１０から印影画像を受信し、入力情報と印影画像とを他のコンピュータに送信する。制御部２１が実行する処理は、プログラムとして提供できる。
【００２１】
入力受付部２２は、利用者から入力された情報を受け付ける。入力受付部２２は、たとえば、タッチパネルや、テンキーや、キーボード等である。
ここで、印影画像処理システム４０による、印影画像の処理について説明する。情報処理装置２０の入力受付部２２は入力情報を受け付け、制御部２１は印影画像取得要求を印影画像取得装置１０に送信する。たとえば、金融機関の窓口において、顧客が払戻処理を行う場合、情報処理装置２０は、入力情報として口座番号、顧客の氏名、払戻金額等を入力情報として受け付ける。印影画像取得装置１０の制御部１１は、情報処理装置２０から印影画像取得要求を受信する。印影画像取得装置１０の圧力検知部１５は、利用者から印章３０を押印された際に、圧力を検知する。印影画像取得装置１０の制御部１１は、圧力検知部１５から受信した圧力を検知した通知に応じて、第１の巻取部１３ａおよび第２の巻取部１３ｂを駆動させる。印影画像取得装置１０の制御部１１は、押印用紙１４に形成された印影を読取部１３で撮像可能な位置に移動させ、読取部１３に印影の撮像を指示する。印影画像取得装置１０の制御部１１は、印影を撮像した印影画像を取得し、印影画像を情報処理装置２０に送信する。情報処理装置２０の制御部２１は、入力情報と印影画像とを他のコンピュータに送信する。他のコンピュータは、入力情報と印影画像を受信し、印影画像の認証処理や、出金処理の手続きができる。
【００２２】
このようにして、印影画像処理システム４０は、紙の伝票等の書類を用いることなく、入力情報と印影情報とを取得できる。また、印影画像取得装置１０は、紙の書類（金融機関が備える入金伝票や払戻伝票等）を用いることなく印章を紙に押印した印影の画像を取得できる。
【００２３】
［第２の実施形態］
次に、第２の実施形態として、印影画像取得装置１０を印影スキャナに適用した印影画像処理システムについて図２を用いて説明する。図２は、第２の実施形態の印影画像処理システムの一例を示す図である。
【００２４】
金融機関などにおける印影画像処理システム４００は、予め登録されている印章（登録印）の印影画像と被照合印の印影画像とを認証し、認証結果に応じて取引処理を実行するシステムである。
【００２５】
印影画像処理システム４００は、営業店端末１００とタブレット２００と印影スキャナ２５０とサーバ３００とを含む。
営業店端末１００は、サーバ３００やタブレット２００と情報を送受信するコンピュータなどの情報処理装置である。営業店端末１００は、金融機関等の係員が操作する情報処理装置である。営業店端末１００は、タブレット２００から受信した取引処理の要求をサーバ３００に送信し、サーバ３００から取引処理の結果を受信する。
【００２６】
タブレット２００は、金融機関等に手続のために来店した顧客が操作する情報処理装置である。顧客は、タブレット２００を用いて電子フォーマットの入出金伝票に口座番号、氏名、金額等の必要事項を入力する。タブレット２００は、入力操作に応じて印影スキャナ２５０に印影画像を取得する指示を送信し、印影スキャナ２５０から印影画像を受信する。なお、タブレット２００は、顧客が用いる情報処理装置の一例であり、タブレット２００以外の電子機器を用いることも可能である。
【００２７】
印影スキャナ２５０は、顧客が手続時に入出金伝票等に押印する印章の印影の画像（以下、印影画像と記載する）を撮像する装置である。印影スキャナ２５０は、タブレット２００と接続し、タブレット２００からの指示を受信し、印影画像をタブレット２００に送信する。なお、印影スキャナ２５０をタブレット２００に接続する構成は一例であり、印影スキャナ２５０を営業店端末１００に接続してもよい。
【００２８】
サーバ３００は、コンピュータなどの情報処理装置であり、データベース３５０を管理し、営業店端末１００との間で情報の送受信を行う。また、サーバ３００は、営業店端末１００から送信された取引のためのパスワードの認証処理や、登録印の印影画像と顧客が手続時に押印する被照合印の印影画像との認証処理や、金融取引の処理を行う。
【００２９】
データベース３５０は、登録印の印影画像や口座情報等を保持するデータベースである。データベース３５０は、サーバ３００からの印影画像の認証処理の要求に先立ち、予め登録印の印影画像を保持する。データベース３５０は、印影画像と対応付けて、支店番号や口座番号などを保持する。
【００３０】
ネットワーク３８０は、営業店端末１００とサーバ３００との間や営業店端末１００とタブレット２００との間で情報を送受信する有線ネットワークや無線ネットワークなどを含む。
【００３１】
ここで、金融機関の係員が営業店端末１００を用い、金融機関に来店した顧客がタブレット２００を用いて顧客の払戻処理（出金処理）をする場合について説明する。
顧客は、タブレット２００を用いて払戻伝票の電子フォーマットに口座番号、氏名、金額等の手続に必要な事項を入力し、印影スキャナ２５０の所定の位置に押印する。
【００３２】
タブレット２００は、取引処理要求とともに顧客に入力されたデータと印影スキャナ２５０から取得した印影画像とを営業店端末１００に送信する。
係員は、営業店端末１００を用いて、タブレット２００から送信された印影画像の認証をサーバ３００へ要求する。係員は、サーバ３００から認証処理の結果について、営業店端末１００を用いて確認する。係員は、印影スキャナ２５０で取得した印影画像と登録印の印影画像との認証処理に問題が無い場合は、サーバ３００に払戻処理の要求を送信する。サーバ３００は、営業店端末１００から払戻処理の要求とともに、顧客の口座情報、氏名、払戻金額等を受信し、口座残高から払戻金額を減額し、払戻の取引処理を実行する。係員は、サーバ３００から払戻の取引処理に問題が無い旨を受信し、払戻金額で指定された現金を窓口で顧客に渡す。
【００３３】
なお、上述の払戻処理は一例であり、サーバ３００において、印影画像の認証処理と口座の金融取引処理とを連続して実行してもよい。また、認証処理を行うサーバ３００と金融取引処理を行うサーバ３００とを別個に設け、機能別に個別のサーバ３００で処理を実行してもよい。また、営業店端末１００において、サーバ３００からの受信結果に応じて、印影画像の認証の可否の情報や、口座残高不足の情報等を表示してもよい。
【００３４】
次に、第２の実施形態の営業店端末のハードウェア構成について図３を用いて説明する。図３は、第２の実施形態の営業店端末のハードウェア構成の一例を示す図である。
営業店端末１００は、制御部１１０を含む。制御部１１０は、プロセッサ１１１、ＲＡＭ（Random Access Memory）１１２、ＨＤＤ（Hard Disk Drive）１１３、入出力信号インタフェース１１４、記憶媒体インタフェース１１５、通信インタフェース１１６を含む。営業店端末１００は、プロセッサ１１１によって装置全体が制御されている。プロセッサ１１１には、バス１１７を介してＲＡＭ１１２と複数の周辺機器が接続されている。プロセッサ１１１は、マルチプロセッサであってもよい。プロセッサ１１１は、たとえば、ＣＰＵ（Central Processing Unit）、ＭＰＵ（Micro Processing Unit）、ＤＳＰ（Digital Signal Processor）、ＡＳＩＣ（Application Specific Integrated Circuit）、またはＰＬＤ（Programmable Logic Device）である。また、プロセッサ１１１は、ＣＰＵ、ＭＰＵ、ＤＳＰ、ＡＳＩＣ、ＰＬＤのうちの２以上の要素の組み合わせであってもよい。
【００３５】
ＲＡＭ１１２は、営業店端末１００の主記憶装置として使用される。ＲＡＭ１１２には、プロセッサ１１１に実行させるＯＳ（Operating System）のプログラムやアプリケーションプログラムの少なくとも一部が一時的に記憶される。また、ＲＡＭ１１２には、プロセッサ１１１による処理に必要な各種データが記憶される。
【００３６】
バス１１７に接続されている周辺機器としては、ＨＤＤ１１３、入出力信号インタフェース１１４、記憶媒体インタフェース１１５および通信インタフェース１１６がある。
ＨＤＤ１１３は、内蔵したディスクに対して、磁気的にデータの書き込みおよび読み出しを行う。ＨＤＤ１１３は、営業店端末１００の補助記憶装置として使用される。ＨＤＤ１１３には、ＯＳのプログラム、アプリケーションプログラム、および各種データが記憶される。なお、ＨＤＤ１１３に限らず、ＳＳＤ（Solid State Drive）を使用することもできる。なお、補助記憶装置としては、フラッシュメモリなどの半導体記憶装置を使用することもできる。
【００３７】
入出力信号インタフェース１１４には、入出力デバイスが接続されている。入出力デバイスは、入力デバイスと出力デバイスを含む。入力デバイスの一例として、キーボード１１９や、マウス１２０や、イメージスキャナ１２１や、タッチパネルなどがある。また、出力デバイスの一例には、モニタ１１８や、液晶表示や、各種パネル表示装置などがある。
【００３８】
入出力信号インタフェース１１４は、キーボード１１９やマウス１２０から送られてくる信号をプロセッサ１１１に送信する。なお、マウス１２０は、ポインティングデバイスの一例であり、他のポインティングデバイスを使用することもできる。他のポインティングデバイスとしては、タッチパネル、タッチパッド、トラックボールなどがある。入出力信号インタフェース１１４は、プロセッサ１１１からの命令に従って、画像をモニタ１１８の画面に表示させる。モニタ１１８としては、ＣＲＴ（Cathode Ray Tube）を用いた表示装置や液晶表示装置などがある。
【００３９】
記憶媒体インタフェース１１５は、磁気やレーザなどを利用して記憶媒体１２２に記録されたデータの読み取りや書き込みを行う。また、記憶媒体インタフェース１１５は、半導体メモリなどの記憶媒体に記録されたデータの読み取りを行うものであってもよい。記憶媒体１２２とは、たとえば、光ディスクや、フラッシュメモリなどの半導体メモリなどを含む。光ディスクは、光の反射によって読み取り可能なようにデータが記録された可搬型の記録媒体である。光ディスクには、ＤＶＤ（Digital Versatile Disc）、ＤＶＤ−ＲＡＭ、ＣＤ−ＲＯＭ（Compact Disc − Read Only Memory）、ＣＤ−Ｒ（Recordable）／ＲＷ（ReWritable）などがある。
【００４０】
記憶媒体インタフェース１１５は、営業店端末１００に周辺機器を接続するための通信インタフェースとしても用いることができる。たとえば、記憶媒体インタフェース１１５には、メモリ装置やメモリリーダライタを接続することができる。メモリ装置は、記憶媒体インタフェース１１５との通信機能を搭載した記録媒体である。メモリリーダライタは、メモリカードへのデータの書き込み、またはメモリカードからのデータの読み出しを行う装置である。メモリカードは、カード型の記録媒体である。
【００４１】
通信インタフェース１１６は、ネットワーク３８０に接続されている。通信インタフェース１１６は、他のコンピュータ、記憶装置、または通信機器との間でデータの送受信を行う。
【００４２】
以上のようなハードウェア構成によって、第２の実施形態の営業店端末１００の処理機能を実現することができる。なお、第１の実施形態の情報処理装置２０も、図３に示した営業店端末１００のハードウェア構成で実現できる。なお、第２の実施形態のサーバ３００も、図３に示した営業店端末１００のハードウェア構成で実現できる。
【００４３】
営業店端末１００は、たとえばコンピュータ読み取り可能な記録媒体に記録されたプログラムを実行することにより、第２の実施の形態の処理機能を実現する。営業店端末１００に実行させる処理内容を記述したプログラムは、様々な記録媒体に記録しておくことができる。たとえば、営業店端末１００に実行させるプログラムをＨＤＤ１１３に記憶しておくことができる。プロセッサ１１１は、ＨＤＤ１１３内のプログラムの少なくとも一部をＲＡＭ１１２にロードし、プログラムを実行する。また、営業店端末１００に実行させるプログラムを、光ディスク、メモリ装置、メモリカードなどの可搬型記録媒体に記録しておくこともできる。可搬型記録媒体に記憶されたプログラムは、たとえばプロセッサ１１１からの制御により、ＨＤＤ１１３にインストールされた後、実行可能となる。またプロセッサ１１１が、可搬型記録媒体から直接プログラムを読み出して実行することもできる。
【００４４】
なお、上記の構成は一例であり、営業店端末１００やサーバ３００の構成については適宜決定される。たとえば、営業店端末１００に印影スキャナ２５０を接続できる。また、サーバ３００にはイメージスキャナ１２１を接続せずともよい。
【００４５】
次に、第２の実施形態のタブレットのハードウェア構成について図４を用いて説明する。図４は、第２の実施形態のタブレットのハードウェア構成の一例を示す図である。
タブレット２００は、可搬型のコンピュータとして実現される。タブレット２００は、プロセッサ２０１によって全体が制御されている。タブレット２００は、プロセッサ２０１、ＲＡＭ２０２、フラッシュメモリ２０３、表示装置２０４、入力装置２０５、記憶媒体インタフェース２０６、通信インタフェース２０７、ＧＰＳ（Global Positioning System）受信機２０８を含む。
【００４６】
プロセッサ２０１には、バス２０９を介してＲＡＭ２０２と複数の周辺機器が接続されている。プロセッサ２０１は、マルチプロセッサであってもよい。プロセッサ２０１は、たとえば、ＣＰＵ、ＭＰＵ、ＤＳＰ、ＡＳＩＣ、またはＰＬＤである。また、プロセッサ２０１は、ＣＰＵ、ＭＰＵ、ＤＳＰ、ＡＳＩＣ、ＰＬＤのうちの２以上の要素の組み合わせであってもよい。
【００４７】
ＲＡＭ２０２は、タブレット２００の主記憶装置として使用される。ＲＡＭ２０２には、プロセッサ２０１に実行させるＯＳのプログラムやアプリケーションプログラムの少なくとも一部が一時的に記憶される。また、ＲＡＭ２０２には、プロセッサ２０１による処理に必要な各種データが記憶される。
【００４８】
バス２０９に接続されている周辺機器としては、フラッシュメモリ２０３、表示装置２０４、入力装置２０５、記憶媒体インタフェース２０６、通信インタフェース２０７およびＧＰＳ受信機２０８がある。
【００４９】
フラッシュメモリ２０３は、タブレット２００の補助記憶装置として使用される。フラッシュメモリ２０３には、ＯＳのプログラム、アプリケーションプログラム、および各種データが記憶される。なお、補助記憶装置としては、ＨＤＤなどの他の種類の記憶装置を使用することもできる。
【００５０】
表示装置２０４は、プロセッサ２０１からの命令に従って、画像を表示装置２０４の画面に表示させる。表示装置としては、液晶ディスプレイや有機ＥＬ（Electro Luminescence）ディスプレイなどがある。
【００５１】
入力装置２０５は、受け付けた入力操作に応じた信号をプロセッサ２０１に送信する。入力装置２０５としては、タッチパネル、タッチパッド、および操作キーなどがある。
記憶媒体インタフェース２０６は、磁気やレーザなどを利用して記憶媒体２０６ａに記録されたデータの読み取りや書き込みを行う。また、記憶媒体インタフェース２０６は、記憶媒体２０６ａに記録されたデータの読み取りを行うものであってもよい。記憶媒体２０６ａとは、たとえば、光ディスク、半導体メモリなどを含む。
【００５２】
通信インタフェース２０７は、通信により営業店端末１００や印影スキャナ２５０等の他の装置との間でデータの送受信を行う。通信は、有線の通信および無線の通信の両方を含む。
【００５３】
ＧＰＳ受信機２０８は、ＧＰＳ衛星から受信した信号に基づく情報をプロセッサ２０１に送信する。プロセッサ２０１は、ＧＰＳ受信機２０８から受信した情報に基づいてタブレット２００の位置を計測することができる。
【００５４】
以上のようなハードウェア構成によって、第２の実施形態のタブレット２００の処理機能を実現することができる。
次に、第２の実施形態の印影スキャナ（パターン１）のハードウェア構成について図５を用いて説明する。図５は、第２の実施形態の印影スキャナ（パターン１）のハードウェア構成の一例を示す図である。
【００５５】
図５の説明において、印影スキャナ（パターン１）２５０を、印影スキャナ２５０と記載する。印影スキャナ２５０は、上面部２６１、側面部２６２、底面部２６３で囲まれた略直方体の筐体を有する。上面部２６１は、筐体内部に備えたロール紙２５６に印章５００を押印するための押印孔２５７を備える。押印孔２５７は、印章５００の印面５０１がロール紙２５６に接触して押印することが可能な大きさの開口部である。また、上面部２６１の一部は、筐体の内部にカメラ２５１等を備えるため膨出した形状にできる。また、側面部２６２は、筐体内部に備えられた構成物を修理および交換するための施錠可能な扉を備えることができる。印影スキャナ２５０は、たとえば、底面部２６３を机上に設置して使用することができる。
【００５６】
印影スキャナ２５０は、筐体の内部にカメラ２５１、ローラ２５２ａ，２５２ｂ、圧力センサ２５３、用紙残量センサ２５４、制御部２５５、ロール紙２５６を備える。
カメラ２５１は、ロール紙２５６に押印された印影を撮像して印影画像を取得し、制御部２５５に送信する。
【００５７】
ローラ２５２ａ，２５２ｂは、ロール紙２５６を一方向に巻き取る機構である。ローラ２５２ａ，２５２ｂの矢印は、ローラ２５２ａ，２５２ｂの回転方向を示している。
圧力センサ２５３は、印章５００がロール紙２５６に押印した際の圧力を検知し、制御部２５５に通知する。圧力センサ２５３は、印章５００がロール紙２５６の上面側に押印された場合に、ロール紙２５６の下面側を支持可能な位置および大きさで設置される。なお、圧力センサ２５３は、圧力を検知した時刻を制御部２５５に通知してもよい。この場合において、制御部２５５は、圧力を検知した時刻から所定の時間（例えば、１０分間）を印影画像が有効な時間として設定することができる。印影スキャナ２５０は、圧力を検知した時刻から所定の時間を印影画像の有効時間として設定し、タブレット２００へ印影画像と有効時間とを対応付けて送信することで、セキュリティ対策を講じることが可能となる。
【００５８】
また、圧力センサ２５３は、ロール紙２５６の下面側を支持可能な台に設置して、押印されたことを検知してもよい。なお、上述した圧力センサ２５３を設置する位置は一例であり、その他の位置であってもよい。
【００５９】
用紙残量センサ２５４は、ロール紙２５６の残量を検知し、制御部２５５に通知する。
制御部２５５は、印影スキャナ２５０全体を制御する。制御部２５５の詳細は、後で図７を用いて説明する。
【００６０】
ロール紙２５６は、印章５００を押印する紙である。ロール紙２５６には、顧客や金融機関の係員によって印章５００が押印されることで朱肉が付着した印面５０１が接触し、ロール紙２５６の上面部２６１側かつ押印孔２５７の下の位置に印章５００の印影が形成される。印影スキャナ２５０において、印影が形成される位置を印影形成位置２５８と記載する。ロール紙２５６がローラ２５２ａ，２５２ｂによって矢印方向に巻き取られることで、ロール紙２５６の印影が形成された部分がカメラ２５１で撮像可能な位置へ移動する。印影スキャナ２５０において、カメラ２５１で撮像可能な位置を撮像可能位置２５９と記載する。
【００６１】
ロール紙２５６は、ローラ２５２ａ，２５２ｂによって矢印方向に巻き取られ、ロール紙２５６の印影が形成された部分が印影形成位置２５８から撮像可能位置２５９に移動する。ロール紙２５６に形成された印影は、撮像可能位置２５９においてカメラ２５１で撮像される。印影スキャナ２５０は、ロール紙２５６に形成された印影がカメラ２５１で撮像された後、印影が形成された部分をローラ２５２ｂで巻き取る構成である。
【００６２】
なお、上面部２６１の上部に朱肉台２６４が設置された構成であるが、これは一例である。印章５００を押印する際に、顧客は、朱肉台２６４の代わりに顧客が持参したスタンプ台を用いて印面５０１に朱肉を付着させてもよいし、金融機関等が事務用品として備えるスタンプ台等を用いてもよい。
【００６３】
ここで、印影スキャナ２５０が印章５００の印影を取得する流れについて説明する。
顧客や金融機関の係員は、印章５００の印面５０１を朱肉台２６４に接触させて印面５０１に朱肉を付着させ、押印孔２５７からロール紙２５６に対し押印を行う。
【００６４】
圧力センサ２５３は、圧力を検知したことを制御部２５５に通知する。制御部２５５は、圧力センサ２５３から通知を受信したことに伴い、ローラ２５２ａ，２５２ｂを矢印方向に駆動させる。制御部２５５は、ロール紙２５６に形成された印影が印影形成位置２５８から撮像可能位置２５９に到達した際、ローラ２５２ａ，２５２ｂの駆動を停止させる。制御部２５５は、カメラ２５１に印影を撮像する指示を出す。カメラ２５１は、印影を撮像し、取得した印影画像を制御部２５５に送信する。制御部２５５は、カメラ２５１から受信した印影画像をタブレット２００に送信する。
【００６５】
次に、第２の実施形態の印影スキャナ（パターン２）のハードウェア構成について図６を用いて説明する。図６は、第２の実施形態の印影スキャナ（パターン２）のハードウェア構成の一例を示す図である。
【００６６】
図６の説明において、印影スキャナ（パターン２）２９０を、印影スキャナ２９０と記載する。印影スキャナ２９０は、図５の印影スキャナ２５０の変形例である。印影画像処理システム４００において、印影スキャナ２５０を印影スキャナ２９０に置き換えることができる。また、印影スキャナ２９０は、印影スキャナ２５０と同様に印影画像を取得できる。なお、図５の印影スキャナ２５０と同一の構成や処理については、説明を省略する。
【００６７】
図５に示した印影スキャナ２５０との違いは、印影スキャナ２９０が、撮像可能位置２５９を通過したロール紙２５６を細かく裁断する機構である裁断部２６０を備えている点である。また、印影スキャナ２９０は、ロール紙２５６を裁断したことによりロール紙２５６がローラ２５２ａの方向へ巻き戻らないようロール紙２５６を固定する機構としてローラ２５２ｃ，２５２ｄを備える。ローラ２５２ｃとローラ２５２ｄは、ロール紙２５６を裁断部２６０に移動させるとともに、ロール紙２５６を挟み固定する。
【００６８】
また、図５に示した印影スキャナ２５０は、始動時にロール紙２５６をローラ２５２ａに設置し、ロール紙２５６の端部を引き出し、圧力センサ２５３の上方（近傍）を経由してローラ２５２ｂに固定する構成である。これに対し、印影スキャナ２９０は、始動時にロール紙２５６をローラ２５２ａに設置し、ロール紙２５６の端部を引き出し、圧力センサ２５３の上方（近傍）およびローラ２５２ｂの外周を経由してローラ２５２ｃ，２５２ｄの間に固定する構成である。なお、圧力センサ２５３を設置する位置は、ロール紙２５６に押印されたことを検知できる位置であればよく、上述の位置は一例である。
【００６９】
制御部２５５は、ローラ２５２ａ，２５２ｂ，２５２ｃ，２５２ｄを制御し、ロール紙２５６において印影が形成された部分を印影形成位置２５８から撮像可能位置２５９に移動させる。制御部２５５は、ロール紙２５６に形成された印影をカメラ２５１で撮像し印影画像を取得した後、ロール紙２５６を裁断部２６０へ移動するようローラ２５２ａ，２５２ｂ，２５２ｃ，２５２ｄを制御する。
【００７０】
印影スキャナ２９０において撮像後の印影が残存しないようロール紙２５６を細かく裁断する裁断部２６０を設けることにより、ロール紙２５６に形成された印影の盗難防止や盗撮防止等のセキュリティ対策を講じることが可能となる。
【００７１】
次に、第２の実施形態の印影スキャナの制御部のハードウェア構成について図７を用いて説明する。図７は、第２の実施形態の印影スキャナの制御部のハードウェア構成の一例を示す図である。
【００７２】
印影スキャナ２５０は、制御部２５５によって全体が制御されている。制御部２５５は、プロセッサ２７１、ＲＡＭ２７２、ＲＯＭ２７３、通信インタフェース２７４、入出力信号インタフェース２７５を含む。
【００７３】
プロセッサ２７１には、バス２７６を介してＲＡＭ２７２と複数の周辺機器が接続されている。プロセッサ２７１は、マルチプロセッサであってもよい。プロセッサ２７１は、たとえば、ＣＰＵ、ＭＰＵ、ＤＳＰ、ＡＳＩＣ、またはＰＬＤである。また、プロセッサ２７１は、ＣＰＵ、ＭＰＵ、ＤＳＰ、ＡＳＩＣ、ＰＬＤのうちの２以上の要素の組み合わせであってもよい。
【００７４】
ＲＡＭ２７２は、制御部２５５の主記憶装置として使用される。ＲＡＭ２７２には、プロセッサ２７１に実行させるＯＳのプログラムやアプリケーションプログラムの少なくとも一部が一時的に記憶される。また、ＲＡＭ２７２には、プロセッサ２７１による処理に必要な各種データが記憶される。
【００７５】
バス２７６に接続されている周辺機器としては、ＲＯＭ２７３、通信インタフェース２７４および入出力信号インタフェース２７５がある。
ＲＯＭ２７３は、プロセッサ２７１に読み込まれるプログラムやデータなどを格納する記憶装置の一例である。
【００７６】
通信インタフェース２７４は、通信によりタブレット２００等の他の装置との間でデータの送受信を行う。通信は、有線の通信および無線の通信の両方を含む。
入出力信号インタフェース２７５には、カメラ２５１、圧力センサ２５３、用紙残量センサ２５４、モータ２７７が接続されている。
【００７７】
カメラ２５１は、プロセッサ２７１からの指示に従いロール紙２５６に形成された印影を撮像し、印影画像を取得する。カメラ２５１は、印影画像を取得したことをプロセッサ２７１に通知し、ＲＡＭ２７２等の記憶部に印影画像のデータを格納する。
【００７８】
圧力センサ２５３は、押印された際に圧力を検知し、圧力を検知したことをプロセッサ２７１に通知する。
用紙残量センサ２５４は、ローラ２５２ａに巻き付いているロール紙２５６の残量を検知し、ロール紙２５６の残量をプロセッサ２７１に通知する。
【００７９】
モータ２７７は、プロセッサ２７１からの指示に従い、ローラ２５２ａ，２５２ｂを駆動させる。なお、モータ２７７は、ローラ２５２ａ，２５２ｂを駆動させる機構の一例であり、その他の機構でもよい。
【００８０】
次に、印影画像登録情報について図８を用いて説明する。図８は、第２の実施形態の印影画像登録情報の一例を示す図である。
印影画像登録情報６００は、予め登録された登録印に係る情報であり、データベース３５０に記憶される。印影画像登録情報６００は、サーバ３００が印影画像の認証処理を実行する場合に参照される情報である。
【００８１】
印影画像登録情報６００は、店番号と科目コードと口座番号と登録印の印影画像とを含む。店番号は、金融機関の本店や支店を識別する符号である。科目コードは、普通口座、当座口座、貯蓄口座などの口座種別を識別する符号である。口座番号は、口座を識別する符号である。印影画像は、口座に対応する登録印の印影画像のイメージデータである。なお、印影画像登録情報６００に、口座所有者の氏名や法人名などを含めることもできる。なお、店番号と科目コードと口座番号は、識別情報の一例に過ぎず、他のものを識別情報としてもよい。
【００８２】
次に、第２の実施形態のシーケンスについて図９を用いて説明する。図９は、第２の実施形態のシーケンスを示す図である。
シーケンスは、印影スキャナ２５０と、タブレット２００と、営業店端末１００と、サーバ３００との間で実行される処理の流れを示したものである。
【００８３】
印影スキャナ２５０の処理は、印影スキャナ２５０の制御部２５５（プロセッサ２７１）が実行する処理である。タブレット２００の処理は、タブレット２００の制御部（プロセッサ２０１）が実行する処理である。営業店端末１００の処理は、営業店端末１００の制御部１１０（プロセッサ１１１）が実行する処理である。サーバ３００の処理は、サーバ３００の制御部１１０（プロセッサ１１１）が実行する処理である。
【００８４】
まず、タブレット２００に対する顧客からの金融取引の入力操作に応じて、取引データの入力受付処理が行われる。
［ステップＳ１１］タブレット２００は、データの入力を受け付ける。ステップＳ１１で受け付けるデータとは、顧客が選択する金融取引を実行する際に必要とされるデータであり、取引種別、口座情報（口座番号、店番号、科目コード等）、顧客の氏名、取引の金額等である。以下において、顧客から受け付けたデータを、入力受付データと記載する。また、顧客が金融取引として払戻処理を入力した場合について説明する。
【００８５】
［ステップＳ１２］タブレット２００は、印影画像を取得する指示を印影スキャナ２５０に送信する。
［ステップＳ１３］印影スキャナ２５０は、印影画像を取得する指示をタブレット２００から受信し、顧客が押印した印影の印影画像を取得する。
【００８６】
［ステップＳ１４］印影スキャナ２５０は、印影画像をタブレット２００に送信する。なお、印影スキャナ２５０の処理の詳細については、後で図１１を用いて説明する。
［ステップＳ１５］タブレット２００は、印影画像を印影スキャナ２５０から受信し、表示装置２０４に表示する。
【００８７】
［ステップＳ１６］タブレット２００は、入力受付データと印影画像とを営業店端末１００に送信する。なお、タブレット２００の処理の詳細については、後で図１０を用いて説明する。
【００８８】
［ステップＳ１７］営業店端末１００は、入力受付データと印影画像とをタブレット２００から受信する。
［ステップＳ１８］営業店端末１００は、口座情報と印影画像とをサーバ３００に送信し、認証処理をサーバ３００に要求する。
【００８９】
［ステップＳ１９］サーバ３００は、認証処理要求とともに口座情報と印影画像とを営業店端末１００から受信する。
［ステップＳ２０］サーバ３００は、印影画像登録情報６００を参照し、印影画像の認証処理を実行する。
【００９０】
［ステップＳ２１］サーバ３００は、ステップＳ２０での認証処理の結果を営業店端末１００に送信する。具体的には、サーバ３００は、印影画像登録情報６００に含まれる口座情報および印影画像と、受信した口座情報および印影画像とが整合している場合、印影画像が整合の旨を営業店端末１００に送信する。また、サーバ３００は、不整合である場合、印影画像が不整合の旨を営業店端末１００に送信する。
【００９１】
［ステップＳ２２］営業店端末１００は、サーバ３００から受信した認証処理の結果をモニタ１１８に表示する。金融機関の係員は、モニタ１１８に表示された認証処理の結果を目視で確認する。係員は、認証処理の結果が整合の場合は取引を進行し、不整合の場合は顧客に窓口で印影画像が異なるため取引ができない旨を伝える。
【００９２】
ここで、認証処理の結果は、整合しているものとする。
［ステップＳ２３］営業店端末１００は、入力受付データをサーバ３００に送信し、取引処理をサーバ３００に要求する。
【００９３】
［ステップＳ２４］サーバ３００は、取引処理要求とともに入力受付データを営業店端末１００から受信する。
［ステップＳ２５］サーバ３００は、取引処理を実行し、取引処理の結果を営業店端末１００に送信する。
【００９４】
ここでは、サーバ３００が取引処理として払戻処理を実行し、払戻処理が実行可能であるものとする。なお、払戻処理の実行にともなう口座残高の照会や、払戻の可否の判定や、口座残高の減額等については省略する。
【００９５】
［ステップＳ２６］営業店端末１００は、サーバ３００から取引処理の結果を受信し、モニタ１１８に表示する。金融機関の係員は、営業店端末１００のモニタ１１８の表示内容を確認し、払戻金額の現金を窓口で顧客に出金する。なお、営業店端末１００の処理の詳細については、後で図１２を用いて説明する。
【００９６】
このようにして、金融機関に来店した顧客は、タブレット２００を用いて取引に必要な口座番号や氏名や金額等の情報を入力し、印影スキャナ２５０を用いて押印するため、紙の入出金伝票に手書きでの記入および押印をする必要がなくなる。また、金融機関は、紙の入出金伝票を用いることなく取引を処理できる。
【００９７】
次に、第２の実施形態のタブレットが実行する処理について図１０を用いて説明する。図１０は、第２の実施形態のタブレット処理のフローチャートを示す図である。
タブレット処理は、タブレット２００が顧客からの入力を受け付け、顧客から入力されたデータと印影スキャナ２５０が取得した印影画像とをサーバ３００に送信する処理である。タブレット２００の制御部（プロセッサ２０１）は、顧客からの入力操作を受け付け、タブレット処理を行う。
【００９８】
［ステップＳ３１］プロセッサ２０１は、取引開始の指示を受け付けるボタンを表示装置２０４に表示し、入力装置２０５を介して取引開始ボタンが押下されたか否かを判定する。プロセッサ２０１は、取引開始ボタンが押下された場合にステップＳ３２に進み、取引開始ボタンが押下されていない場合にステップＳ３１にもどる。
【００９９】
［ステップＳ３２］プロセッサ２０１は、取引種別の入力を受け付ける。言い換えると、プロセッサ２１０は、取引種別の選択を受け付けるボタンを表示装置２０４に表示し、入力装置２０５を介して取引種別の選択の指示を受け付けるボタンが押下された場合にステップＳ３３に進む。
【０１００】
取引種別の選択肢には、入金処理、払戻処理、普通口座開設、定期預金口座開設、定期預金解約等がある。ここでは、取引種別として払戻処理を選択した場合について説明する。
【０１０１】
［ステップＳ３３］プロセッサ２０１は、払戻処理の取引を実行する口座情報として、口座番号、店番号、科目コードの入力を受け付ける。言い換えると、プロセッサ２０１は、口座情報（口座番号、店番号、科目コード）を入力する指示を表示装置２０４に表示し、入力装置２０５を介して口座情報の入力を受け付ける。
【０１０２】
［ステップＳ３４］プロセッサ２０１は、払戻処理の取引を実行する顧客の氏名および払い戻す金額の入力を受け付ける。言い換えると、プロセッサ２０１は、顧客の氏名および払い戻す金額を入力する指示を表示装置２０４に表示し、入力装置２０５を介して顧客の氏名および払い戻す金額の入力を受け付ける。
【０１０３】
［ステップＳ３５］プロセッサ２０１は、印影画像を取得する処理である印影画像取得処理を実行する要求を印影スキャナ２５０に送信する。また、プロセッサ２０１は、印影スキャナ２５０の押印孔２５７の内側の印影形成位置２５８に押印する指示を表示装置２０４に表示できる。顧客または金融機関の係員は、押印する指示を目視で確認し、印章５００をロール紙２５６に押印する。印影画像取得処理の詳細については、後で図１１を用いて説明する。
【０１０４】
［ステップＳ３６］プロセッサ２０１は、印影スキャナ２５０から印影画像を受信したか否かを判定する。プロセッサ２０１は、印影画像を受信した場合にステップＳ３７に進み、印影画像を受信していない場合にステップＳ３６にもどる。
【０１０５】
なお、プロセッサ２０１は、用紙無しエラーを印影スキャナ２５０から受信してステップＳ３６にもどる場合、「係員は印影スキャナに新しいロール紙をセットしてください。」という指示を表示装置２０４に表示する。
【０１０６】
［ステップＳ３７］プロセッサ２０１は、印影スキャナ２５０から受信した印影画像を表示装置２０４に表示する。タブレット２００を使用している顧客や金融機関の係員は、印章５００の印影が正しく取得できたか否かについて表示装置２０４を介して目視で確認できる。
【０１０７】
［ステップＳ３８］プロセッサ２０１は、印影画像が正常か否かを確認するボタンを表示装置２０４に表示し、入力装置２０５を介して正常か否かの入力を受け付ける。顧客や係員は、ステップＳ３７で印影画像を目視し、印影に滲み、擦れ、歪み等が生じておらず金融機関の届出印として照合可能と確認できる場合、印影が正常である旨を確認するボタンを押下し、印影画像が正常である旨の入力ができる。プロセッサ２０１は、印影画像が正常である旨の入力を受け付けた場合にステップＳ３９に進み、正常でない旨の入力を受け付けた場合にステップＳ４１に進む。
【０１０８】
［ステップＳ３９］プロセッサ２０１は、ステップＳ３２，Ｓ３３，Ｓ３４で受け付けた入力受付データおよびステップＳ３６で受信した印影画像とともに、取引処理要求を営業店端末１００に送信する。
【０１０９】
［ステップＳ４０］プロセッサ２０１は、入力が正常終了した旨を表示装置２０４に表示し、ステップＳ３１にもどる。
［ステップＳ４１］プロセッサ２０１は、印章５００を再度押印するか否かを選択するボタンを表示装置２０４に表示し、入力装置２０５を介して再度押印するか否かの選択を受け付ける。プロセッサ２０１は、再度押印する旨の入力を受け付けた場合にステップＳ３５に進み、再度押印する旨の入力を受け付けない場合にステップＳ４２に進む。
【０１１０】
［ステップＳ４２］プロセッサ２０１は、入力が押印エラーで終了した旨を表示装置２０４に表示し、ステップＳ３１にもどる。
次に、第２の実施形態の印影スキャナが実行する処理について図１１を用いて説明する。図１１は、第２の実施形態の印影画像取得処理のフローチャートを示す図である。
【０１１１】
印影画像取得処理は、印影スキャナ２５０が印影画像を取得し、取得した印影画像をタブレット２００に送信する処理である。印影画像取得処理は、タブレット処理のステップＳ３５で、タブレット２００から印影画像取得処理を実行する要求を受信した印影スキャナ２５０の制御部２５５（プロセッサ２７１）が実行する処理である。
【０１１２】
［ステップＳ５１］プロセッサ２７１は、用紙残量センサ２５４に用紙の有無を問合せ、用紙残量センサ２５４が用紙有りと検知したか否かを判定する。プロセッサ２７１は、用紙残量センサ２５４が用紙有りと検知した場合にステップＳ５３に進み、用紙有りと検知しない場合にステップＳ５２に進む。
【０１１３】
［ステップＳ５２］プロセッサ２７１は、用紙無しエラーをタブレット２００に送信し、印影画像取得処理を終了する。
［ステップＳ５３］プロセッサ２７１は、圧力センサ２５３に圧力検知の有無を問合せ、圧力センサ２５３が圧力を検知したか否かを判定する。プロセッサ２７１は、圧力センサ２５３で圧力を検知した場合にステップＳ５４に進み、圧力を検知しない場合にステップＳ５３にもどる。
【０１１４】
［ステップＳ５４］プロセッサ２７１は、モータ２７７を制御しローラ２５２ａ，２５２ｂを回転させ、ロール紙２５６において印影が形成された部分を印影形成位置２５８から撮像可能位置２５９に移動させ、ローラ２５２ａ，２５２ｂの回転を止める。
【０１１５】
［ステップＳ５５］プロセッサ２７１は、カメラ２５１に撮像を指示する。カメラ２５１は、撮像可能位置２５９を撮像して印影画像を取得し、取得した印影画像をＲＡＭ２７２等の記憶部に格納する。
【０１１６】
［ステップＳ５６］プロセッサ２７１は、取得した印影画像を記憶部から読み出し、タブレット２００に送信し、印影画像取得処理を終了する。
次に、第２の実施形態の営業店端末が実行する処理について図１２を用いて説明する。図１２は、第２の実施形態の営業店端末処理のフローチャートを示す図である。
【０１１７】
営業店端末処理は、営業店端末１００が取引処理要求とともに入力データと印影画像をタブレット２００から受信し、サーバ３００に取引処理を要求する処理である。
営業店端末処理は、タブレット２００からの処理要求を受信した営業店端末１００の制御部１１０（プロセッサ１１１）が実行する処理である。
【０１１８】
［ステップＳ６１］プロセッサ１１１は、タブレット２００から受信した取引処理要求の有無を判定する。プロセッサ１１１は、取引処理要求が有る場合にステップＳ６２に進み、取引処理要求が無い場合にステップＳ６１にもどる。
【０１１９】
なお、プロセッサ１１１は、複数の取引処理要求が存在する場合、取引処理要求それぞれにタブレット２００から受信した時刻情報等を付与して管理できる。また、プロセッサ１１１は、取引処理要求の一覧をモニタ１１８に表示し、キーボード１１９等を介して実行すべき取引処理要求の選択を係員から受け付けることができる。
【０１２０】
［ステップＳ６２］プロセッサ１１１は、取引処理要求とともにタブレット２００から受信した入力受付データをモニタ１１８に表示する。プロセッサ１１１によって取引種別や口座番号等がモニタ１１８に表示されることにより、係員は処理内容を確認できる。
【０１２１】
［ステップＳ６３］プロセッサ１１１は、タブレット２００から受信した口座情報（口座番号、店番号、科目コード）と印影画像とをサーバ３００に送信し、タブレット２００から受信した印影画像と登録印の印影画像との認証処理を要求する。
【０１２２】
なお、認証処理の要求は、サーバ３００に受信され、サーバ３００において印影画像の認証処理が実行される。
［ステップＳ６４］プロセッサ１１１は、サーバ３００から印影画像の認証結果を受信し、受信した印影画像の認証結果をモニタ１１８に表示する。
【０１２３】
認証結果は、タブレット２００から受信した印影画像と登録印の印影画像との照合結果を数値や文字で表示できる。たとえば、認証処理の結果が整合の場合、モニタ１１８に「照合率９９．９％」のように数字で認証処理の結果を表示してもよいし、「お客様の手続印の印影画像は、登録印の印影画像と同一の印影画像として認識されました。」のように文字で認証処理の結果を表示してもよい。また、認証処理の結果が不整合の場合、モニタ１１８に「照合率０．１％」のように数字で認証処理の結果を表示してもよい。
【０１２４】
また、プロセッサ１１１は、印影画像の認証結果とともに、印影スキャナ２５０で取得した印影画像と、サーバ３００から受信した印影画像とを印影画像をモニタ１１８に表示できる。プロセッサ１１１が認証結果をモニタ１１８に表示することにより、係員は、認証結果を目視で確認できる。
【０１２５】
［ステップＳ６５］プロセッサ１１１は、キーボード１１９等を介してタブレット２００から受信した印影画像（言い換えると、顧客が押印した印影の印影画像）が登録印の印影画像と整合したか否かの選択を係員から受け付ける。
【０１２６】
プロセッサ１１１は、タブレット２００から受信した印影画像が登録印と整合した旨の選択を受け付けた場合にステップＳ６７に進み、不整合の旨の選択を受け付けた場合にステップＳ６６に進む。
【０１２７】
［ステップＳ６６］プロセッサ１１１は、印影画像が不整合により取引不可の旨をモニタ１１８に表示し、ステップＳ６１にもどる。
たとえば、プロセッサ１１１は、「お客様が押印した印影と、登録印の印影とは不一致です。係員は、手続きができません。」という内容をモニタ１１８に表示する。係員は、金融機関の窓口において押印した印章５００が登録印の印章とは異なる旨を顧客に伝え、手続を中止する。
【０１２８】
［ステップＳ６７］プロセッサ１１１は、入力受付データをサーバ３００に送信し、取引種別で選択された取引処理を要求する。
なお、プロセッサ１１１は、サーバ３００に送信する入力受付データをモニタ１１８に表示できる。係員は、モニタ１１８を目視で確認することで、サーバ３００で処理される取引を確認できる。なお、サーバ３００における取引処理の詳細については、説明を省略する。
【０１２９】
［ステップＳ６８］プロセッサ１１１は、サーバ３００から取引処理の結果を受信し、モニタ１１８に表示し、ステップＳ６１にもどる。金融機関の係員は、モニタ１１８の表容を確認し、窓口で顧客対応を行う。
【０１３０】
このようにして、金融機関に来店した顧客は、タブレット２００を用いて取引に必要な口座番号等を入力し、印影スキャナ２５０を用いて押印するため、紙の伝票等に手書きでの記入および押印をする必要がなくなる。また、金融機関は、紙の伝票を用いることなく取引を処理できる。
【０１３１】
また、印影スキャナ２５０は、手続時に用いる印章５００からロール紙２５６に対する押印を受け付け、受け付けた押印により形成された印影を撮像し、被照合印の印影画像として取得する。このため、登録印から紙に対して押印されて形成された印影を撮像し、照合印の印影画像として用いる既存の認証システムとの高い親和性があり、照合印と被照合印との認証の精度を高めることができる。
【０１３２】
なお、上記の処理機能は、コンピュータによって実現することができる。その場合、印影画像取得装置１０、情報処理装置２０、営業店端末１００、タブレット２００、印影スキャナ２５０，２９０が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリなどがある。磁気記憶装置には、ハードディスク装置（ＨＤＤ）、フレキシブルディスク（ＦＤ：Flexible Disk）、磁気テープなどがある。光ディスクには、ＤＶＤ、ＤＶＤ−ＲＡＭ、ＣＤ−ＲＯＭ／ＲＷなどがある。光磁気記録媒体には、ＭＯ（Magneto-Optical disk）などがある。
【０１３３】
プログラムを流通させる場合には、たとえば、そのプログラムが記録されたＤＶＤ、ＣＤ−ＲＯＭなどの可搬型記録媒体が販売される。また、プログラムをサーバコンピュータの記憶装置に記憶しておき、ネットワークを介して、サーバコンピュータから他のコンピュータにそのプログラムを転送することもできる。
【０１３４】
プログラムを実行するコンピュータは、たとえば、可搬型記録媒体に記録されたプログラムもしくはサーバコンピュータから転送されたプログラムを、自己の記憶装置に記憶する。コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、ネットワークを介して接続されたサーバコンピュータからプログラムが転送される毎に、逐次、受け取ったプログラムに従った処理を実行することもできる。
【０１３５】
また、上記の処理機能の少なくとも一部を、ＤＳＰ、ＡＳＩＣ、ＰＬＤなどの電子回路で実現することもできる。
【符号の説明】
【０１３６】
１０  印影画像取得装置
１１  制御部
１２  読取部
１３ａ  第１の巻取部
１３ｂ  第２の巻取部
１４  押印用紙
１５  圧力検知部
１６  開口部
２０  情報処理装置
２１  制御部
２２  入力受付部
３０  印章
４０  印影画像処理システム
１００  営業店端末
２００  タブレット
２５０  印影スキャナ
３００  サーバ
３５０  データベース
３８０  ネットワーク
４００  印影画像処理システム
【図１】
2018036686.tif 000003
【図２】
2018036686.tif 000004
【図３】
2018036686.tif 000005
【図４】
2018036686.tif 000006
【図５】
2018036686.tif 000007
【図６】
2018036686.tif 000008
【図７】
2018036686.tif 000009
【図８】
2018036686.tif 000010
【図９】
2018036686.tif 000011
【図１０】
2018036686.tif 000012
【図１１】
2018036686.tif 000013
【図１２】
2018036686.tif 000014